(57)【要約】【課題】屋根工事において発生する残材が工事現場となっている屋根から落下するのを未然に防止した屋根用仮設落下防止具である。【解決手段】落下防止用板部の下方部に屋根に既設されている雨樋の外側方の開口部が嵌挿し、係止する落下防止用板部の外側方に突設状の樋嵌挿部を形成し、落下防止用板部の裏面部に雨樋の外側方の開口部の内側に嵌挿する雨樋からの離脱を防止するストッパー部を有する一方の落下防止体と、落下防止用板部の下方部に雨樋の外側方の開口部が嵌挿し、係止する落下防止用板部の外側方に突設状の樋嵌挿部を形成し、落下防止用板部の裏面部に雨樋の外側方の開口部の内側に嵌挿する雨樋からの離脱を防止するストッパー部を有し、樋嵌挿部の側面部位を切欠して雨樋の排水部の嵌込みを可能にする切欠部を設け、切欠部の上方部を落下防止用板部の裏面に突設する雨樋蓋部を有する他方の落下防止体とでなる。【選択図】    図１
2008202254.tif 000002
【特許請求の範囲】
【請求項１】
落下防止用板部の下方部に屋根に既設されている雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有する一方の落下防止体と、前記落下防止体とは別個に落下防止用板部の下方部に前記雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有し、且前記樋嵌挿部の側面部位を切欠して前記雨樋の排水部の嵌込みを可能にする切欠部を設け、且前記切欠部の上方部を前記落下防止用板部の裏面に突設する雨樋蓋部を有する他方の落下防止体とからなることを特徴とする屋根用仮設落下防止具。
【請求項２】
前記一方の落下防止体と前記他方の落下防止体の落下防止用板部の上方部に、折曲状補強部を設け、且前記両落下防止体の一側縁部の上方部に突出状の接続部を設けることを特徴とする請求項１記載の屋根用仮設落下防止具。
【請求項３】
前記一方の落下防止体と前記他方の落下防止体の落下防止用板部に、無数の孔部を形成することを特徴とする請求項１又は同２記載の屋根用仮設落下防止具。
【請求項４】
前記一方の落下防止体と前記他方の落下防止体の落下防止用板部の下方部の樋嵌挿部が、断面がコ形状にて形成することを特徴とする請求項１又は同２又は同３記載の屋根用仮設落下防止具。
【請求項５】
前記一方の落下防止体と前記他方の落下防止体に、固定金具の一端部を引掛け、前記固定金具の他端部を葺き上げた瓦に挿込み引掛けて、前記両落下防止体の傾倒を防止することを特徴とする請求項１又は同２又は同３又は同４記載の屋根用仮設落下防止具。
【請求項６】
落下防止用板部の下方部に屋根に既設されている雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する樋からの離脱を防止するストッパー部を有する一方の落下防止体と、前記落下防止体とは別個に落下防止用板部の下方部に前記雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有し、且前記樋嵌挿部の側面部を切欠して前記雨樋の排水部の嵌込みを可能にする切欠部を設け、且前記切欠部の上方部を前記落下防止用板部の裏面に突設する雨樋蓋部を有する他方の落下防止体を設け、前記一方の落下防止体の樋嵌挿部に雨樋の外側方の開口部を嵌挿せしめると共に、ストッパー部を前記雨樋の外側方の開口部の裏面部に当接せしめ、前記雨樋に対し、前記一方の落下防止体を直立せしめ、他方の落下防止体の切欠部を雨樋の排水部とその周辺の雨樋に、前記雨樋蓋部を被せると共に、前記樋嵌挿部に前記雨樋の外側方の開口部を嵌込み、且ストッパー部を前記雨樋の外側開口部の裏面部に当接せしめ、前記他方の落下防止体に前記一方の落下防止体を屋根の軒先に既設する雨樋の長さに応じて一方の落下防止体を順次接続せしめ葺替え工事時に発生する瓦等の建材の落下を未然に防止せしめることを特徴とする屋根用仮設落下防止方法。
【請求項７】
前記一方の落下防止体と前記他方の落下防止体の落下防止用板部の上方部に、折曲状補強部を設け、且前記両落下防止体の一側縁部の上方部に突出状の接続部を設けることを特徴とする請求項６記載の屋根用仮設落下防止方法。
【請求項８】
前記一方の落下防止体と前記他方の落下防止体の落下防止用板部に、無数の孔部を形成することを特徴とする請求項６又は同７記載の屋根用仮設落下防止方法。
【請求項９】
前記一方の落下防止体と前記他方の落下防止体の落下防止用板部の下方部の樋嵌挿部が、断面がコ形状にて形成することを特徴とする請求項６又は同７又は同８記載の屋根用仮設落下防止方法。
【請求項１０】
前記一方の落下防止体と前記他方の落下防止体に、固定金具の一端部を引掛け、前記固定金具の他端部を葺き上げた瓦に挿込み引掛けて、前記両落下防止体の傾倒を防止することを特徴とする請求項６又は同７又は同８又は同９記載の屋根用仮設落下防止方法。
【発明の詳細な説明】
【技術分野】
【０００１】
本発明は、屋根瓦等の揚替工事において使用する屋根用仮設落下防止具及び屋根用仮設落下防止方法の技術分野に関するものである。
【背景技術】
【０００２】
従来、瓦葺き作業が安全にできると共に、経費がかからず、簡便に組立て及び取外し作業ができる落下防止具が特開平７−３００９６０号公開特許公報として開示されている。
【０００３】
前記開示の公開特許公報の落下防止具は、落下防止用の網体３を張設するのに、一組の支持脚６、６から構成の各支持体２、２を必要とし、前記各支持体２、２を固定するのに、前記各支持脚６、６の下端部に軒樋受（樋受金具の意と解する。）に嵌め込むための嵌入部８を設けることを構成上の必須要件としている。
【０００４】
さらに、上記の軒樋受（金具）に嵌め込む嵌入部８は、段落番号［０００７］の４行目９行目にかけて、「そして両支持脚６、６の下端部は、軒樋受１に嵌め込むために、筒状の嵌入部８となっており、その嵌入部８のやや上方位置において、両支持脚６、６が開脚した状態で軒先に沿ってほぼ直立するように折れ曲がっている。なお各支持脚６は、円筒状のパイプを用いており、その口径は軒樋受１に無理なく嵌まる大きさをしている。」と開示されている。
【０００５】
即ち前記開示の公開特許公報の落下防止具は、網体３を張設するのに、支持脚６、６の下端部に設けた嵌入部８を必須の要件としている。
【０００６】
従って、前記公開特許公報の発明の落下防止具は、前記支持脚６、６の嵌入部８が雨樋の開口部の中、外側方の一方の開口部に一体に嵌挿するものでもなく、さらに前記雨樋の一方の開口部の外側面と内側面とを挟み込んで落下防止具の網体等を張設することを目的とした発明ではない。
【０００７】
さらに、前記公開特許公報の発明の落下防止具は、網体と、一対の支持脚６、６等を取り外すには、特に前記一対の支持脚６、６を樋受金具１から抜き取らなければならない作業が付加され、その抜き取り作業には、高所での作業とあって作業者らの身体のバランスを確保する等慎重さが要求されている。そのため、落下防止具全体の除去作業にはそれ相応の作業時間が必要となる。
【特許文献１】特開平７−３００９６０号公開特許公報
【発明の開示】
【発明が解決しようとする課題】
【０００８】
しかるに本発明は、雨樋開口部の中、外側方の開口部の全体を嵌め込み、しかも、嵌め込んだ前記雨樋の外側開口部の裏面部にストッパー部を当接し挟み込んで落下防止体を直立せしめ屋根工事において発生する残材が工事現場となっている屋根から落下するのを未然に防止したものである。
【０００９】
さらに本発明は、前記落下防止体を直立するのに、前記雨樋の外側方の開口部を利用して雨樋に負担をかけずに簡単、且容易に取付け作業ができるようにすると共に、屋根瓦等の揚替工事が終了後も極めて簡単に取り外しができるようにした。
【００１０】
また、本発明は、取付け後に万一強風がきても、強風を落下防止体に打ち抜き形成する無数の小孔より通過せしめて風圧を弱め、前記落下防止体の傾倒を防止すると共に、前記落下防止具をアルミニウム製にして耐久性を増し、さらに取付け後の美感も極めて良好にした。
【００１１】
さらに、本発明は、落下してきた瓦等の残材が雨樋内に貯るようにしたので、残材等の清掃も簡単にできるようにした。
【００１２】
また、本発明は、他方の落下防止体の雨樋蓋部によって、雨樋のコーナーに設けられている排水部を始め、その周辺の雨樋に屋根工事の際に発生する残材等が入り込まないようにした。そのため縦樋内に残材等が詰るおそれはない。
【００１３】
さらに、本発明の落下防止具は、落下防止体を雨樋を構成する外側開口部を利用して、嵌め込み取付けるようにするので、雨樋と前記落下防止体との間には、前記残材等が飛出するような間隙部が形成されない。
【００１４】
そのため、残材等が落下しないので、隣接住宅の外壁、窓ガラス、屋根材、通行者、車輌等に当ったりしない。さらに現場周辺においてリフォーム作業等に従事している作業者らへの危険をも未然に防止せしめたものである。
【課題を解決するための手段】
【００１５】
課題を解決するための手段として、請求項１記載の発明は、落下防止用板部の下方部に屋根に既設されている雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有する一方の落下防止体と、前記落下防止体とは別個に落下防止用板部の下方部に前記雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有し、且前記樋嵌挿部の側面部位を切欠して前記雨樋の排水部の嵌込みを可能にする切欠部を設け、且前記切欠部の上方部を前記落下防止用板部の裏面に突設する雨樋蓋部を有する他方の落下防止体とからなることを特徴とする屋根用仮設落下防止具である。
【００１６】
請求項２記載の発明は、前記一方の落下防止体と前記他方の落下防止体の落下防止用板部の上方部に、折曲状補強部を設け、且前記両落下防止体の一側縁部の上方部に突出状の接続部を設けることを特徴とする請求項１記載の屋根用仮設落下防止具である。
【００１７】
請求項３記載の発明は、前記一方の落下防止体と前記他方の落下防止体の落下防止用板部に、無数の孔部を形成することを特徴とする請求項１又は同２記載の屋根用仮設落下防止具である。
【００１８】
請求項４記載の発明は、前記一方の落下防止体と前記他方の落下防止体の落下防止用板部の下方部の樋嵌挿部が、断面がコ形状にて形成することを特徴とする請求項１又は同２又は同３記載の屋根用仮設落下防止具である。
【００１９】
請求項５記載の発明は、前記一方の落下防止体と前記他方の落下防止体に、固定金具の一端部を引掛け、前記固定金具の他端部を葺き上げた瓦に挿込み引掛けて、前記両落下防止体の傾倒を防止することを特徴とする請求項１又は同２又は同３又は同４記載の屋根用仮設落下防止具である。
【００２０】
請求項６記載の発明は、落下防止用板部の下方部に屋根に既設されている雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する樋からの離脱を防止するストッパー部を有する一方の落下防止体と、前記落下防止体とは別個に落下防止用板部の下方部に前記雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有し、且前記樋嵌挿部の側面部を切欠して前記雨樋の排水部の嵌込みを可能にする切欠部を設け、且前記切欠部の上方部を前記落下防止用板部の裏面に突設する雨樋蓋部を有する他方の落下防止体を設け、前記一方の落下防止体の樋嵌挿部に雨樋の外側方の開口部を嵌挿せしめると共に、ストッパー部を前記雨樋の外側方の開口部の裏面部に当接せしめ、前記雨樋に対し、前記一方の落下防止体を直立せしめ、他方の落下防止体の切欠部を雨樋の排水部とその周辺の雨樋に、前記雨樋蓋部を被せると共に、前記樋嵌挿部に前記雨樋の外側方の開口部を嵌込み、且ストッパー部を前記雨樋の外側開口部の裏面部に当接せしめ、前記他方の落下防止体に前記一方の落下防止体を屋根の軒先に既設する雨樋の長さに応じて一方の落下防止体を順次接続せしめ葺替え工事時に発生する瓦等の建材の落下を未然に防止せしめることを特徴とする屋根用仮設落下防止方法である。
【００２１】
請求項７記載の発明は、前記一方の落下防止体と前記他方の落下防止体の落下防止用板部の上方部に、折曲状補強部を設け、且前記両落下防止体の一側縁部の上方部に突出状の接続部を設けることを特徴とする請求項６記載の屋根用仮設落下防止方法である。
【００２２】
請求項８記載の発明は、前記一方の落下防止体と前記他方の落下防止体の落下防止用板部に、無数の孔部を形成することを特徴とする請求項６又は同７記載の屋根用仮設落下防止方法である。
【００２３】
請求項９記載の発明は、前記一方の落下防止体と前記他方の落下防止体の落下防止用板部の下方部の樋嵌挿部が、断面がコ形状にて形成することを特徴とする請求項６又は同７又は同８記載の屋根用仮設落下防止方法である。
【００２４】
請求項１０記載の発明は、前記一方の落下防止体と前記他方の落下防止体に、固定金具の一端部を引掛け、前記固定金具の他端部を葺き上げた瓦に挿込み引掛けて、前記両落下防止体の傾倒を防止することを特徴とする請求項６又は同７又は同８又は同９記載の屋根用仮設落下防止方法である。
【発明の効果】
【００２５】
請求項１記載の発明は、落下防止用板部の下方部に屋根に既設されている雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有する一方の落下防止体と、前記落下防止体とは別個に落下防止用板部の下方部に前記雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有し、且前記樋嵌挿部の側面部位を切欠して前記雨樋の排水部の嵌込みを可能にする切欠部を設け、且前記切欠部の上方部を前記落下防止用板部の裏面に突設する雨樋蓋部を有する他方の落下防止体とからなる屋根用仮設落下防止具なので、落下防止具を構成する一方の落下防止体と他方の落下防止体の前記樋受嵌挿部が、既設の雨樋の開口部を構成する外側開口部に嵌り込み、同時に前記ストッパー部が前記雨樋内に挿入し前記雨樋の外側開口部の裏面部に当接し前記雨樋の外側開口部を挟着して前記両落下防止体を傾倒させることなく直立させ落下防止機能を発揮できる利点を有している。
【００２６】
さらに、本発明の落下防止具は、前記樋受嵌挿部とストッパー部によって嵌め込み作業が極めてスムーズにできる。
【００２７】
また、本発明は、他方の落下防止体に雨樋蓋部が形成されているので、排水部内への残材等の侵入を未然に防止することができる。
【００２８】
さらに、本発明の落下防止具は、屋根工事の際に発生する残材等が、屋根工事中の屋根以外の個所に落下するのを未然に防止したので、歩行者らは安心安全に歩行できると共に、隣接住宅の屋根、外壁、ガラス窓等の損傷を未然に防止した。
【００２９】
また、本発明の両落下防止体は、高さ等が同一寸法をしているので、積重してもがたつかない利点を有している。
【００３０】
さらに、請求項２記載の発明は、前記一方の落下防止体と前記他方の落下防止体の落下防止用板部の上方部に、折曲状補強部を設け、且前記両落下防止体の一側縁部の上方部に突出状の接続部を設ける屋根用仮設落下防止具なので、請求項１記載の発明を同じ効果を有している。
【００３１】
さらに本発明は、折曲状補強部を形成したので、前記両落下防止体の強度を著しく強くせしめることができる。
【００３２】
また、本発明は、接続部を形成したので、両落下防止体の接続作業をスムーズにできる利点を有している。
【００３３】
また、請求項３記載の発明は、前記一方の落下防止体と前記他方の落下防止体の落下防止用板部に、無数の孔部を形成する屋根用仮設落下防止具なので、前記請求項１又は同２記載の発明と同じ効果を有している。
【００３４】
さらに、本発明は無数の孔部によって、風をスムーズに通過せしめることができると共に、前記両落下防止体の風圧による傾倒を未然に防止できる。
【００３５】
請求項４記載の発明は、前記一方の落下防止体と他方の落下防止体の落下防止用板部の下方部の樋嵌挿部が、断面がコ形状にて形成する屋根用仮設落下防止具なので、前記請求項１又は同２又は同３記載の発明と同じ効果を有している。
【００３６】
請求項５記載の発明は、前記一方の落下防止体と前記他方の落下防止体に、固定金具の一端部を引掛け、前記固定金具の他端部を葺き上げた瓦に挿込み引掛けて、前記両落下防止体の傾倒を防止する屋根用仮設落下防止具なので、前記請求項１又は同２又は同３又は同４記載の発明と同じ効果を有している。
【００３７】
さらに、本発明は、前記固定金具によって、両落下防止体を強固に固定できる。
【００３８】
また、請求項６記載の発明は、落下防止用板部の下方部に屋根に既設されている雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する樋からの離脱を防止するストッパー部を有する一方の落下防止体と、前記落下防止体とは別個に落下防止用板部の下方部に前記雨樋の外側方の開口部が嵌挿し、且係止する前記落下防止用板部の外側方に突設状の樋嵌挿部を形成し、前記落下防止用板部の裏面部に前記雨樋を構成する外側方の開口部の内側に嵌挿する雨樋からの離脱を防止するストッパー部を有し、且前記樋嵌挿部の側面部を切欠して前記雨樋の排水部の嵌込みを可能にする切欠部を設け、且前記切欠部の上方部を前記落下防止用板部の裏面に突設する雨樋蓋部を有する他方の落下防止体を設け、前記一方の落下防止体の樋嵌挿部に雨樋の外側方の開口部を嵌挿せしめると共に、ストッパー部を前記雨樋の外側方の開口部の裏面部に当接せしめ、前記雨樋に対し、前記一方の落下防止体を直立せしめ、他方の落下防止体の切欠部を雨樋の排水部とその周辺の雨樋に、前記雨樋蓋部を被せると共に、前記樋嵌挿部に前記雨樋の外側方の開口部を嵌込み、且ストッパー部を前記雨樋の外側開口部の裏面部に当接せしめ、前記他方の落下防止体に前記一方の落下防止体を屋根の軒先に既設する雨樋の長さに応じて一方の落下防止体を順次接続せしめ葺替え工事時に発生する瓦等の建材の落下を未然に防止せしめる屋根用仮設落下防止方法なので、前記一方の落下防止体と他方の落下防止体の下方の樋嵌挿部を雨樋開口部の中の外側開口部に嵌め込みながら、前記落下防止体を確実に直立せしめ、且排水部に落下防止蓋部を被せ、さらに雨樋の長さに応じて複数の一方の落下防止体を順次接続して極めて容易に且迅速に落下防止体を組立てることができる。
【００３９】
さらに、本発明は、前記のようにして組立てられた落下防止体を取外すにも、各落下防止体を屋根の方向に傾斜し、同時に上方向に持上げることによって、雨樋からの離脱ができるので、作業性は極めて良好である。
【００４０】
また、本発明の両落下防止体は、高さ等が同一寸法をしているので、積重しても不揃えとならずにがたつかない利点を有している。
【００４１】
さらに、請求項７記載の発明は、前記一方の落下防止体と前記他方の落下防止体の落下防止用板部の上方部に、折曲状補強部を設け、且前記両落下防止体の一側縁部の上方部に突出状の接続部を設ける屋根用仮設落下防止方法なので、請求項６記載の発明と同じ効果を有している。
【００４２】
また、請求項８記載の発明は、前記一方の落下防止体と前記他方の落下防止体の落下防止用板部に、無数の孔部を形成する屋根用仮設落下防止方法なので、請求項６又は同７記載の発明と同じ効果を有している。
【００４３】
さらに、請求項９記載の発明は、前記一方の落下防止体と他方の落下防止体の落下防止用板部の下方部の樋嵌挿部が、断面がコ形状にて形成する屋根用仮設落下防止方法なので、請求項６又は同７又は同８記載の発明と同じ効果を有している。
【００４４】
さらに、請求項１０記載の発明は、前記一方の落下防止体と前記他方の落下防止体に、固定金具の一端部を引掛け、前記固定金具の他端部を葺き上げた瓦に挿込み引掛けて、前記両落下防止体の傾倒を防止する屋根用仮設落下防止方法なので、請求項６又は同７又は同８又は同９記載の発明と同じ効果を有している。
【発明を実施するための最良の形態】
【００４５】
本発明の請求項１〜１０記載の実施の形態は、共通しているので図面にもとづき以下のとおり一括して説明する。
【００４６】
図において、ａは本発明の屋根用仮設落下防止具を構成する一方の落下防止体である。
【００４７】
前記一方の落下防止体ａは、通常耐久性及び軽量性のアルミニウム板製もしくはスチール板製等であり、図面図示のとおり均一の高さと所定の長さを有する長尺の落下防止用板部１の下方部３に、前記落下防止用板部１の表面部２に対し突設する樋嵌挿部４を形成する。
【００４８】
前記樋嵌挿部４は、図３に図示されているように、前記落下防止用板部１に対し前側方に直角状に折曲して上方係止部５を形成し、前記係止部５の先端部を下方に直角状に折曲して前方係止部６を、前記前方係止部６の下方部を内側方に直角状に折曲して下方係止部７を設け、さらに前記下方係止部７の端縁部を下向きに傾斜する傾斜部８を形成する。
【００４９】
また、前記樋嵌挿部３は、断面がコ形状にて形成してもよい。
【００５０】
以上が樋嵌挿部３の構成である。
【００５１】
さらに前記一方の落下防止体ａは、前記落下防止用板部１の裏面部９の中、前記樋嵌挿部３の上方係止部５から、前記前方係止部６の長さよりも若干短い形状のストッパー部１０を垂下状に前記落下防止用板部１の裏面部９に固着する。その数は限定しない。前記ストッパー部１０は、前記樋嵌挿部４に嵌め込んだ雨樋ｃの外側開口部１２の内側に当接し、且密着して、雨樋ｃから前記落下防止用板部１が離脱するのを防止する。
【００５２】
１１は前記樋嵌挿部４の傾斜部８と前記ストッパー部１０との間に形成された嵌め込み部である。この嵌め込み部１１によって、雨樋ｃを構成する外側開口部１２の嵌め込みを極めてスムーズにする。
【００５３】
１３は前記落下防止用板部１の上方部を折曲状にして形成した補強部である。この補強部１３は上方部１４を表面部２もしくは裏面部９の方向に直角状に折曲し、さらに垂下状に折曲して形成する。
【００５４】
上記のように形成された補強部１３は、前記一方の落下防止体ａの強度を著増する。さらに、前記補強部１３に落下物が当ると、前記落下防止体ａが嵌挿中の雨樋ｃに落下する。
【００５５】
さらに、前記落下防止用板部１の一側縁部１４の上方部には、接続部１５を突出状にして設ける。
【００５６】
また、前記落下防止用板部１には、前方係止部６を含めて無数の孔部１６を設ける。
【００５７】
ｄは固定具であり、引掛け部１７と係止部１８とかなっている。
【００５８】
前記固定具ｄを構成する回動自在な引掛け部１７の先端部は、瓦ｅの長さに対応して前記孔部１６の中、上段もしくは下段の孔部１６に引掛ける。
【００５９】
さらに、前記引掛け部１７を接続する係止部１８は、雨樋ｃの外側開口部１２に嵌り込んで直立状態になっている前記落下防止体ａが風圧によって傾倒しないよう、瓦ｅと瓦ｅの間に一部分をもぐらせ、もぐらせた前記係止部１８の端部１９を瓦ｅの端縁部に引掛け使用するものである。そのため、係止部１８は固定状態となり、他方の引掛け部１７の先端部を前記孔部１６に引掛けることによって、前記一方の落下防止体ａは強固に固定される。
【００６０】
図において、ｂは他方の落下防止体であり、前記一方の落下防止体ａと共通する構成は、樋嵌挿部３とストッパー部１０と補強部１３と孔部１６である。これらの各構成は、前記した一方の落下防止体ａに説明したとおりなので、その具体的な説明は省略する。
【００６１】
従って、他方の落下防止体ｂにおいて、一方の落下防止体ａと異なる構成は、樋嵌挿部３を前記樋嵌挿部３の中、前記雨樋ｃの排水２０とその周辺の雨樋ｃの嵌め込みを可能にする高さまで切欠する。即ち前記樋嵌挿部３より上方部位の落下防止用板部１を図面図示のように切欠して、排水嵌挿部３ａを形成する。前記のように切欠した際に生ずる切欠板材を裏面部９方向に直角状に折曲して雨樋蓋部２１を形成する。
【００６２】
さらに、前記他方の落下防止体ｂの一側縁部１４の上方部にも、接続部１５を突出状にして設ける。そして前記落下防止体ｂも前記一方の落下防止体ａと同様の資材をもって形成される。
【００６３】
上記の他方の落下防止体ｂの各構成部分が、一方の落下防止体ａの構成と同じなので、符号の説明は省略した。ただし図面には符号を付している。
【００６４】
また両落下防止体ａ、ｂの樋嵌挿部３を構成する前方係止部６にも、孔部１６を形成する。ｆは屋根、２２は排水部２０に接続する縦樋である。
【００６５】
つぎに、前記一方の落下防止体ａと他方の落下防止体ｂとを屋根工事に当り取付ける手順を説明する。
【００６６】
前記一方の落下防止体ａを握持して、樋嵌挿部３を前方にして、前記嵌り込み部１１に雨樋ｃの開口部の中、外側開口部１２を嵌め込み、前記樋嵌挿部３内に樋受金具ｇと前記雨樋ｃの外側開口部１２が一体もしくは前記外側開口部１２のみが嵌り込み、同時に前記ストッパー１０が、前記外側開口部１２の裏面部１２ａに当接し、密着し、図１１、１２、１３、１４のように直立する。
【００６７】
前記のように組立てられると、前記樋受嵌挿部３を構成する傾斜部８が、樋受金具ｇの外側面に沿って樋受金具ｇを支持している。
【００６８】
さらに、前記一方の落下防止体ａとセットにして使用する他方の落下防止体ｂを仮設するには、排水嵌挿部３ａを排水部２０及びその周辺の雨樋ｃに嵌め込んでやる。そのとき雨樋蓋部２１が前記排水部２０と周辺の雨樋ｃを遮蔽する。
【００６９】
そして、前記他方の落下防止体ｂを構成する嵌り込み部１１に、雨樋ｃの外側開口部１２を嵌め込むと、前記樋嵌挿部３内に樋受金具ｇと前記雨樋ｃの外側開口部１２が嵌り込み、同時に前記ストッパー部１０が雨樋ｃの外側開口部１２の裏面部１２ａに当接し、且密着して外側開口部１２を挟み込んで、図１１、１２、１３、１４のように前記落下防止体ｄを直立せしめる。
【００７０】
そして、他方の落下防止体ｂの樋受嵌挿部３の傾斜部８が、樋受金具ｇの外側面に沿って樋受金具ｇを支持している。
【００７１】
前記のように他方の落下防止体ｂがセットされると、右側方に位置する一方の落下防止体ａと接続部１５を介して接続する。さらに雨樋ｃの長さに応じて順次一方の落下防止体を接続せしめる。
さらに、前記のように雨樋ｃの長さに応じてセットされた両落下防止体ａ、ｂが突風等の風圧によって、嵌め込んだ雨樋ｃから離脱しないようにするために固定具ｄを使用する。
【００７２】
前記固定具ｄと両落下防止体ａ、ｂとを接続するには以下のようにする。
【００７３】
前記固定具ｄを構成する引掛け部１７と接続している係止部１８の他端部の一部を、重なり合っている下方部の瓦ｅにもぐり込ませ、下方部の瓦ｅの上方端部に前記係止部１８の端部１９を引掛けて抜けないようにする。
【００７４】
しかる後、前記係止部１８に対し回動自在な引掛け部１７のかぎ状先端部を所定の孔部１６に引掛けてやる。
【００７５】
上記のようにセットされた固定具ｄによって、前記両落下防止体ａ、ｂは、強固に直立状態を確保することが可能である。
【００７６】
前記のように両落下防止体ａ、ｂがセットされていることによって、瓦屋根工事等によって生ずる残材等は、滑り落ちても、既設の雨樋ｃ内に貯まる。
【００７７】
さらに、排水部２０の上方には、雨樋蓋部２１が位置しているので、残材が縦樋２２に落込んでつまったりしない。
【００７８】
さらに、前記のようにセットされた両落下防止体ａ、ｂ・・・を取外す解体処理作業は以下のようにする。
【００７９】
第１にセットされている前記両落下防止体ａ、ｂ・・・の孔部１６に引掛っている固定具ｄの引掛け部１７を解除する。
【００８０】
つぎに、前記のように解除された両落下防止体ａ、ｂは、接続部１５を離脱して分離する。
【００８１】
前記のようにして離脱した両落下防止体ａ、ｂの中、何れか一方の防止体の上方部を握持して後方向に若干傾斜せしめると、前記樋受嵌挿部３が雨樋ｃの外側開口部１２から容易に離脱する。
【００８２】
さらに、他方の落下防止体ｂの取外しも、前記に説明した一方の落下防止体ｂの取外し作業と同じであるので、その具体的説明を省略する。
【図面の簡単な説明】
【００８３】
【図１】本発明屋根用仮設落下防止具及び落下防止方法における一方の落下防止体の正面図である。
【００８４】
【図２】同図１の落下防止体の背面図である。
【００８５】
【図３】同Ａ―Ａ線拡大縦段面図である。
【００８６】
【図４】同他方の落下防止体の正面図である。
【００８７】
【図５】図４の防止体の背面図である。
【００８８】
【図６】同Ｂ―Ｂ線拡大縦断面図である。
【００８９】
【図７】同Ｃ―Ｃ線拡大縦断面図である。
【００９０】
【図８】同落下防止体の接続状態を示す一部切欠正面図である。
【００９１】
【図９】同図８の落下防止体の組立てた状態を示す一部切欠正面図である。
【００９２】
【図１０】同他方の落下防止体を雨樋にセットした使用状態を示す一部切欠正面図である。
【００９３】
【図１１】同落下防止体を雨樋にセットした使用状態を示す一部切欠背面図である。
【００９４】
【図１２】同落下防止体のセットした使用状態を示す一部切欠縦断正面図である。
【００９５】
【図１３】同セットした落下防止体と排水部との関係を示す一部切欠拡大縦断面図である。
【符号の説明】
【００９６】
ａ          一方の落下防止体
ｂ          他方の落下防止体
ｃ          雨樋
ｄ          固定具
ｅ          瓦
ｆ          屋根
ｇ          樋受金具
１          落下防止用板部
２          表面部
３          下方部
３ａ        排水嵌挿部
４          樋嵌挿部
５          上方係止部
６          前方係止部
７          下方係止部
８          下向き傾斜部
９          裏面部
１０        ストッパー部
１１        嵌り込み部
１２        外側開口部
１２ａ      裏面部
１３        補強部
１４        一側縁部
１５        接続部
１６        孔部
１７        引掛け部
１８        係止部
１９        端部
２０        排水部
２１        雨樋蓋部
２２        縦樋
【図１】
2008202254.tif 000003
【図２】
2008202254.tif 000004
【図３】
2008202254.tif 000005
【図４】
2008202254.tif 000006
【図５】
2008202254.tif 000007
【図６】
2008202254.tif 000008
【図７】
2008202254.tif 000009
【図８】
2008202254.tif 000010
【図９】
2008202254.tif 000011
【図１０】
2008202254.tif 000012
【図１１】
2008202254.tif 000013
【図１２】
2008202254.tif 000014
【図１３】
2008202254.tif 000015